【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
少なくとも１つの無線ベアラを動的に制御するトラフィックボリューム測定方法であって、
伝送チャネルに関連するすべての論理チャネルに対して各バッファ使用量を受信することであって、各バッファ使用量は制御プロトコルデータユニット（ＰＤＵｓ）の量を含む、ことと、
すべての論理チャネルに対して各バッファ使用量の和を求めることによって、トラフィックボリュームを測定することと、
該測定されたトラフィックボリュームを少なくとも１つのしきい値と比較することであって、該少なくとも１つのしきい値は上限および下限のうちの少なくとも一方を含む、ことと、
該測定されたトラフィックボリュームと該少なくとも１つのしきい値との間で条件が満たされた場合には、該伝送チャネルにマップされた各無線ベアラに対してバッファ使用量情報を報告することと
を包含する、方法。
【請求項２】
前記測定されたトラフィックボリュームが前記上限より大きい場合に、前記条件が満たされる、請求項１に記載の方法。
【請求項３】
前記測定されたトラフィックボリュームが前記下限より小さい場合に、前記条件が満たされる、請求項１に記載の方法。
【請求項４】
各ステップは、メディアアクセス制御（ＭＡＣ）エンティティによって実行される、請求項１に記載の方法。
【請求項５】
前記メディアアクセス制御（ＭＡＣ）エンティティがアクノリッジモード無線リンク制御（ＲＬＣ）エンティティに接続されている場合に、各バッファ使用量が制御プロトコルデータユニットの量を含む、請求項４に記載の方法。
【請求項６】
前記バッファ使用量情報は、各無線ベアラに対して、バッファ使用量、バッファ使用量の平均およびバッファ使用量の分散のうちの少なくとも１つを含む、請求項１に記載の方法。
【請求項７】
前記トラフィックボリュームの測定が、送信時間間隔（ＴＴＩ）ごとに行われる、請求項１に記載の方法。
【請求項８】
各論理チャネルに対する前記バッファ使用量が、無線リンク制御（ＲＬＣ）層から送信される、請求項１に記載の方法。
【請求項９】
前記バッファ使用量が、ＲＬＣエンティティの無線リンク制御（ＲＬＣ）バッファの使用量を表す、請求項６に記載の方法。
【請求項１０】
前記バッファ使用量情報が、無線リソース制御（ＲＲＣ）層に報告される、請求項１に記載の方法。
【請求項１１】
上位層から測定情報を受信することをさらに包含し、該測定情報は上限および下限のうちの少なくとも一方を含む、請求項１に記載の方法。
【請求項１２】
前記測定情報は、前記バッファ使用量の平均および分散のうちの少なくとも一方を計算するための時間間隔をさらに含む、請求項１１に記載の方法。
【請求項１３】
前記上位層は、無線リソース制御（ＲＲＣ）層である、請求項１１に記載の方法。
【請求項１４】
少なくとも１つの無線ベアラを動的に制御するトラフィックボリューム測定方法であって、
伝送チャネルに関連する各論理チャネルに対してバッファ使用量を受信することであって、該バッファ使用量は制御プロトコルデータユニット（ＰＤＵｓ）の量を含む、ことと、
報告期間が経過した場合に、該伝送チャネルにマップされた各無線ベアラに対してバッファ使用量情報を報告することと
を包含する、方法。
【請求項１５】
各ステップは、メディアアクセス制御（ＭＡＣ）エンティティによって実行される、請求項１４に記載の方法。
【請求項１６】
前記メディアアクセス制御（ＭＡＣ）エンティティがアクノリッジモード無線リンク制御（ＲＬＣ）エンティティに接続されている場合に、前記バッファ使用量が制御プロトコルデータユニットの量を含む、請求項１５に記載の方法。
【請求項１７】
前記バッファ使用量情報は、各無線ベアラに対して、バッファ使用量、バッファ使用量の平均およびバッファ使用量の分散のうちの少なくとも１つを含む、請求項１４に記載の方法。
【請求項１８】
前記バッファ使用量が、無線リンク制御（ＲＬＣ）層から送信される、請求項１４に記載の方法。
【請求項１９】
前記バッファ使用量が、無線リンク制御（ＲＬＣ）エンティティの無線リンク制御（ＲＬＣ）バッファの使用量を表す、請求項１４に記載の方法。
【請求項２０】
前記バッファ使用量情報が、無線リソース制御（ＲＲＣ）層に報告される、請求項１４に記載の方法。
【請求項２１】
上位層から測定情報を受信することをさらに包含し、該測定情報は該報告期間を含む、請求項１４に記載の方法。
【請求項２２】
前記測定情報は、前記バッファ使用量の平均および分散のうちの少なくとも一方を計算するための時間間隔をさらに含む、請求項２１に記載の方法。
【請求項２３】
前記上位層は、無線リソース制御（ＲＲＣ）層である、請求項２１に記載の方法。
【請求項２４】
少なくとも１つの無線ベアラを動的に制御するトラフィックボリューム測定方法であって、
上位層から測定情報を受信することであって、該測定情報は測定モードを含む、ことと、
伝送チャネルに関連するすべての論理チャネルに対して各バッファ使用量を受信することであって、各バッファ使用量は制御プロトコルデータユニット（ＰＤＵｓ）の量を含む、ことと、
該測定情報に従って条件が満たされたか否かをチェックすることと、
該条件が満たされた場合には、該伝送チャネルにマップされた各無線ベアラに対してバッファ使用量情報を報告することと
を包含する、方法。
【請求項２５】
前記チェックするステップは、前記測定モードがイベントトリガモードである場合に、
すべての論理チャネルに対して各バッファ使用量の和を求めることによって、トラフィックボリュームを測定することと、
該測定されたトラフィックボリュームを少なくとも１つのしきい値と比較することであって、該少なくとも１つのしきい値は上限および下限のうちの少なくとも一方を含む、ことと
をさらに包含する、請求項２４に記載の方法。
【請求項２６】
前記測定されたトラフィックボリュームが前記上限より大きい場合に、前記条件が満たされる、請求項２５に記載の方法。
【請求項２７】
前記測定されたトラフィックボリュームが前記下限より小さい場合に、前記条件が満たされる、請求項２５に記載の方法。
【請求項２８】
前記測定モードが周期的モードである場合に、前記バッファ使用量情報が周期的に繰り返される、請求項２４に記載の方法。
【請求項２９】
各ステップは、メディアアクセス制御（ＭＡＣ）エンティティによって実行される、請求項２４に記載の方法。
【請求項３０】
前記メディアアクセス制御（ＭＡＣ）エンティティがアクノリッジモード無線リンク制御（ＲＬＣ）エンティティに接続されている場合に、前記バッファ使用量が制御プロトコルデータユニットの量を含む、請求項２４に記載の方法。
【請求項３１】
前記バッファ使用量情報は、各無線ベアラに対して、バッファ使用量、バッファ使用量の平均およびバッファ使用量の分散のうちの少なくとも１つを含む、請求項２４に記載の方法。
【請求項３２】
前記トラフィックボリュームの測定が、送信時間間隔（ＴＴＩ）ごとに行われる、請求項２４に記載の方法。
【請求項３３】
各論理チャネルに対する前記バッファ使用量が、無線リンク制御（ＲＬＣ）層から送信される、請求項２４に記載の方法。
【請求項３４】
前記バッファ使用量が、ＲＬＣエンティティの無線リンク制御（ＲＬＣ）バッファの使用量を表す、請求項２５に記載の方法。
【請求項３５】
前記バッファ使用量情報が、無線リソース制御（ＲＲＣ）層に報告される、請求項２４に記載の方法。
【請求項３６】
前記測定情報は、上限および下限のうちの少なくとも一方をさらに包含する、請求項２５に記載の方法。
【請求項３７】
前記測定情報が、報告期間をさらに含む、請求項２８に記載の方法。
【請求項３８】
前記測定情報は、前記バッファ使用量の平均および分散を計算するための時間間隔をさらに含む、請求項３６または３７に記載の方法。
【請求項３９】
前記上位層は、無線リソース制御（ＲＲＣ）層である、請求項２４に記載の方法。
【請求項４０】
少なくとも１つの無線ベアラを動的に制御する方法であって、
測定情報をメディアアクセス制御（ＭＡＣ）エンティティに転送することであって、該測定情報が測定モードを含む、ことと、
伝送チャネルに関連する各無線ベアラに対してバッファ使用量情報を該ＭＡＣエンティティから該測定モードに応じて受信することであって、該バッファ使用量情報は該伝送チャネルにマップされた各論理チャネルのバッファ使用量を用いることによって取得され、該バッファ使用量は制御プロトコルデータユニット（ＰＤＵｓ）の量を含む、ことと、
該バッファ使用量情報に基づいて、該少なくとも１つの無線ベアラの再構成を実行することと
を包含する、方法。
【請求項４１】
前記測定モードは、イベントトリガモードおよび周期的モードのうちの少なくとも一方である、請求項４０に記載の方法。
【請求項４２】
前記測定モードが前記イベントトリガモードである場合に、
すべての論理チャネルに対して各バッファ使用量の和を求めることによって、トラフィックボリュームを測定することと、
該測定されたトラフィックボリュームを少なくとも１つのしきい値と比較することであって、該少なくとも１つのしきい値は上限および下限のうちの少なくとも一方を含む、ことと
をさらに包含する、請求項４１に記載の方法。
【請求項４３】
前記測定情報は、上限および下限のうちの少なくとも一方をさらに含む、請求項４２に記載の方法。
【請求項４４】
前記測定するステップおよび比較するステップは、前記ＭＡＣエンティティにおいて実行される、請求項４２に記載の方法。
【請求項４５】
前記測定モードが前記周期的モードである場合に、
前記ＭＡＣエンティティにおいて、報告期間が経過したか否かをチェックすること
をさらに包含する、請求項４１に記載の方法。
【請求項４６】
前記測定情報が、前記報告期間をさらに含む、請求項４５に記載の方法。
【請求項４７】
各ステップは、無線リソース制御（ＲＲＣ）層において実行される、請求項４０に記載の方法。
【請求項４８】
前記メディアアクセス制御（ＭＡＣ）エンティティがアクノリッジモード無線リンク制御（ＲＬＣ）エンティティに接続されている場合に、前記バッファ使用量が制御プロトコルデータユニットの量を含む、請求項４０に記載の方法。
【請求項４９】
前記バッファ使用量情報は、各無線ベアラに対して、バッファ使用量、バッファ使用量の平均およびバッファ使用量の分散のうちの少なくとも１つを含む、請求項４０に記載の方法。
【請求項５０】
各論理チャネルのバッファ使用量が、無線リンク制御（ＲＬＣ）層から前記ＭＡＣエンティティに送信される、請求項４０に記載の方法。
【請求項５１】
前記バッファ使用量は、ＲＬＣエンティティの無線リンク制御（ＲＬＣ）バッファの使用量を表す、請求項３４に記載の方法。